(57)【要約】【課題】一つの内装袋に2 種類以上の内容物の収納を可能にしたバッグインボックス用の内装袋を提供すること。【解決手段】内側フィルム（１１）と中間フィルム（１２）と外側フィルム（１３）とを３枚重ねた三重フィルムの周縁（１４）をヒートシールして収納部（２１）を形成させたバッグインボックス用内装袋（１０）において、内側フィルム（１１）と中間フィルム（１２）とは、内装袋の略中央近傍でヒートシール（１５）されて第２収納部（２２）を形成させ、第２収納部（２２）の内側フィルム側には注入孔（１６）または／および注出孔（１７）が穿設され、収納部（２１）の内側フィルムと中間フィルムが重ねられた側には、内側フィルムと中間フィルムを貫通する注入孔（１８）または／および注出孔（１９）が穿設されている。【選択図】図１
2005112363.tif 000002
【特許請求の範囲】
【請求項１】
内側フィルムと中間フィルムと外側フィルムとを３枚重ねた三重フィルムの周縁をヒートシールして収納部を形成させたバッグインボックス用内装袋において、
前記内側フィルムと中間フィルムとは、前記内装袋の中央近傍でヒートシールされて第２収納部を形成させ、該第２収納部の内側フィルム側には、注入孔または／および注出孔が穿設され、
前記収納部の内側フィルムと中間フィルムが重ねられた側には、内側フィルムと中間フィルムを貫通する注入孔または／および注出孔が穿設されていることを特徴とする、バッグインボックス用内装袋。
【請求項２】
前記中間フィルムと外側フィルムとは、２枚のフィルムを重ねた二重フィルムからなることを特徴とする、請求項１記載のバッグインボックス用内装袋。
【請求項３】
前記内側フィルムは、２枚のフィルムを重ねた二重フィルムからなることを特徴とする、請求項２記載のバッグインボックス用内装袋。
【請求項４】
前記注入孔または注出孔には、スパウトとキャップまたはスパウトとチューブが取り付けられていることを特徴とする、請求項１、２又は３記載のバッグインボックス用内装袋。
【請求項５】
請求項１乃至４のいずれか１項に記載の袋を内装袋とすることを特徴とする、バッグインボックス。
【発明の詳細な説明】
【技術分野】
【０００１】
本発明は、バッグインボックス用の内装袋に関するものであり、特には、異なる内容物を充填するためのスパウトを２か所、内容物を注出するための注出チューブを１か所以上有するバッグインボックス用の内装袋に関する。
【背景技術】
【０００２】
従来、業務用として用いられている大容量のバッグインボックスには、例えば、フィルムシート材からなる内装袋に、キャップに覆われた注出口（スパウト）を備え、また、別の位置に内容物注出用のチューブを備え、内容物が収容されたこの内装袋を外箱に収めた形態をなしているものがあり、使用に際しては、外箱から取り出し、ディスペンサーなどの自動注出機器に装填されている。
【０００３】
しかしながら、１つの内装袋に１組の注出口が取り付けてあるのみなので、２種類の内容物を充填しようとする時には、バッグインボックス内装袋が２つ必要になり、不便であった。
【発明の開示】
【発明が解決しようとする課題】
【０００４】
本発明は、バッグインボックスの使用方法において、例えば、２種類の内容物を１つのバッグインボックスに収容しようとする際に生ずる以上のような問題に鑑みてなされたもので、１つの内装袋に２種類以上の内容物の収容を可能にしたバッグインボックス用の内装袋を提供することを課題とする。
【課題を解決するための手段】
【０００５】
本発明の請求項１の発明は、内側フィルムと中間フィルムと外側フィルムとを３枚重ねた三重フィルムの周縁をヒートシールして収納部を形成させたバッグインボックス用内装袋において、前記内側フィルムと中間フィルムとは、前記内装袋の中央近傍でヒートシールされて第２収納部を形成させ、該第２収納部の内側フィルム側には、注入孔または／および注出孔が穿設され、前記収納部の内側フィルムと中間フィルムが重ねられた側には、内側フィルムと中間フィルムを貫通する注入孔または／および注出孔が穿設されていることを特徴とする、バッグインボックス用内装袋である。
【０００６】
このように請求項１記載の発明によれば、内側フィルムと中間フィルムとは、内装袋の中央近傍でヒートシールされて第２収納部を形成させ、該第２収納部の内側フィルム側には、注入孔または／および注出孔が穿設され、前記収納部の内側フィルムと中間フィルムが重ねられた側には、内側フィルムと中間フィルムを貫通する注入孔または／および注出孔が穿設されているので、１つの袋に２種類の内容物を充填することができる。
【０００７】
また、請求項２の発明は、請求項１の発明において、前記中間フィルムと外側フィルムとは、２枚のフィルムを重ねた二重フィルムからなることを特徴とする、バッグインボックス用内装袋である。
【０００８】
このように請求項２記載の発明によれば、中間フィルムと外側フィルムとは、２枚のフィルムを重ねた二重フィルムからなるので、収納部はピンホールの発生が少なく、内容物の長期間の収容に耐えらることができる。
【０００９】
また、請求項３の発明は、請求項２の発明において、前記内側フィルムは、２枚のフィ
ルムを重ねた二重フィルムからなることを特徴とする、バッグインボックス用内装袋である。
【００１０】
このように請求項３記載の発明によれば、内側フィルムを、２枚のフィルムを重ねた二重フィルムとすることで、収納部、第２収納部ともにピンホールの発生が少なく、内容物の長期間の収容に耐えらることができる。
【００１１】
また、請求項４の発明は、請求項１、２又３記載の発明において、前記注入孔または注出孔には、スパウトとキャップまたはスパウトとチューブが取り付けられていることを特徴とする、バッグインボックス用内装袋である。
【００１２】
このように請求項４記載の発明によれば、注入孔または注出孔には、スパウトとキャップまたはスパウトとチューブが取り付けられているので、内容物を充填したり、充填されている内容物を注出することができる。ディスペンサー用のバッグインボックス用の内装袋として活用できる。
【００１３】
また、請求項５の発明は、請求項１乃至４のいずれか１項に記載の袋を内装袋とすることを特徴とする、バッグインボックスである。
【発明の効果】
【００１４】
上記のように、従来２種類の内容物を充填するには、バッグインボックス内装袋が２つ必要であったのに対して、本発明のバッグインボックス用内装袋を使用することにより２つの内装袋を一体化することができ、２種類の内容物をセットでコンパクトに流通させることが可能となる。また、空気を注入することにより、内容物を注出することも可能である。
【発明を実施するための最良の形態】
【００１５】
本発明のバッグインボックス用内装袋を一実施形態に基づいて以下に詳細に説明する。
【００１６】
本発明のバッグインボックス用内装袋は、例えば、図１（ａ）、（ｂ）に示すように、内側フィルム（１１）と中間フィルム（１２）と外側フィルム（１３）とを３枚重ねた三重フィルムの周縁（１４）をヒートシールして収納部（２１）を形成させたバッグインボックス用内装袋（１０）である。
【００１７】
そして、内側フィルム（１１）と中間フィルム（１２）とは、内装袋（１０）の中央近傍でヒートシール（１５）されて第２収納部（２２）を形成させ、該第２収納部の内側フィルム側には、注入孔（１６）および注出孔（１７）が穿設されている。
【００１８】
収納部（２１）の内側フィルムと中間フィルムが重ねられた側には、内側フィルム（１１）と中間フィルム（１２）を貫通する注入孔（１７）および注出孔（１８）が穿設されている。
【００１９】
収納部（２１）や第２収納部（２２）に穿設される注入孔と注出孔は、一つの収納部に対して注入孔と注出孔のどちらか一方を穿設するのみでも構わない。
【００２０】
注入孔や注出孔にはプラスチック製のスパウトやチューブが一般的には熱接着法により取り付けられている。スパウトは注入孔に取り付けられ、チューブは注出孔に取り付けられる。
【００２１】
一つの内装袋に２つの収納部を有しているので、例えば、液体である内容物を充填した
収納部（２１）から内容物を注出する際、第２収納部（２２）に空気を注入することにより自動的に収納部（２１）から内容物を注出することができる。また、空気量で内容液の注出量をコントルールすることができる。
【００２２】
内側フィルム（１１）、中間フィルム（１２）および外側フィルム（１３）は、通常に一般的に使用されているバッグインボックス用内装袋用の、例えば、低密度ポリエチレンフィルム（ＬＤＰＥ）、高密度ポリエチレンフィルム（ＨＤＰＥ）、エチレン／酢酸ビニール共重合体フィルム（ＥＶＡ）、ＬＤＰＥ／ＨＤＰＥ／ＬＤＰＥ、ＬＤＰＥ／ＥＶＡ、ＬＤＰＥ／延伸ナイロンフィルム（ＯＮｙ）、ＬＤＰＥ／ポリエチレンテレフタレートフィルム（ＰＥＴ）、ＬＤＰＥ／ＰＥＴ上に酸化アルミニウムや酸化ケイ素などの無機化合物の薄膜を物理蒸着あるいは化学蒸着などの蒸着法ににより２０〜１００ｎｍ程度の厚さに設けた無機化合物蒸着ＰＥＴ（ＶＭ−ＰＥＴ）、ＬＤＰＥ／ＶＭ−ＰＥＴ／ＬＤＰＥ、ＬＤＰＥ／エチレン・ビニルアルコール共重合体（ＥＶＯＨ）／ＬＤＰＥ、線状低密度ポリエチレン（Ｌ−ＬＤＰＥ）／ＯＮｙ上に酸化アルミニウムや酸化ケイ素などの無機化合物の薄膜を物理蒸着あるいは化学蒸着などの蒸着法ににより２０〜１００ｎｍ程度の厚さに設けた無機化合物蒸着ＯＮｙ、７〜２０μｍ厚のアルミニウム箔を積層した複合プラスチックフィルム等の単層フィルムまたは複層フィルムを、収納する内容物により適宜選択して使用することができる。
【００２３】
内側フィルム（１１）、中間フィルム（１２）および外側フィルム（１３）は、各々単層フィルムあるいは複層フィルム単独であってもよいが、中間フィルム（１２）や外側フィルム（１３）を単層フィルムと単層フィルム、あるいは、単層フィルムと複層フィルム、複層フィルムと複層フィルムをそれぞれ重ねた二重フィルム構成としても良い。二重フィルム構成とすることにより、特に、内容物を充填した内装袋を外箱に収納して輸送した際などにも内装袋にピンホールが発生せず保管上で好結果を生む。内側フィルム（１１）を二重フィルム構成としても良いことはいうまでもない（図２、図３参照）。
【００２４】
同様の方法により、外側フィルムの外側に第２外側フィルムを配置して４枚重ねた四重フィルムの周縁をヒートシールしたバッグインボックス内装袋から、第３収納部を形成させ、一つの内装袋で、３つの収納部を有するバッグインボックス内装袋を形成させることができる。
【図面の簡単な説明】
【００２５】
【図１】本発明のバッグインボックス内装袋の一実施例を示す、（ａ）は平面説明図であり、（ｂ）は（ａ）のＡ−Ａ’線断面説明図である。
【図２】本発明のバッグインボックス内装袋の別の実施例で、中間フィルムと外側フィルムに複層フィルムを使用した断面説明図である。
【図３】本発明のバッグインボックス内装袋のさらに別の実施例で、内側フィルム、中間フィルム、外側フィルムともに複層フィルムを使用した断面説明図である。
【符号の説明】
【００２６】
１０‥‥バッグインボックス内装袋
１１‥‥内側フィルム
１２‥‥中間フィルム
１３‥‥外側フィルム
１４‥‥周縁（ヒートシール）
１５‥‥中央近傍（ヒートシール）
１６‥‥注入孔
１７‥‥注出孔
１８‥‥注入孔
１９‥‥注出孔
２１‥‥収納部
２２‥‥第２収納部
２５‥‥スパウト
２６‥‥チューブ
【図１】
2005112363.tif 000003
【図２】
2005112363.tif 000004
【図３】
2005112363.tif 000005